(57)【要約】【課題】作業効率を向上し、コストを低減する動画編集システムを提供する。【解決手段】動画編集システム１は、携帯可能な電子計算機１００と、電子計算機１００に回線４０を介して接続したインタフェース３０とを備える。この動画編集システム１において、電子計算機１００は、記録された動画データを所定のデータ圧縮形式でデータを圧縮し、回線４０を介して、圧縮データをインタフェース３０に送信する。回線４０は、所定の長さ以下である。【選択図】図１
2011034634.tif 000002
【特許請求の範囲】
【請求項１】
携帯可能な電子計算機と、前記電子計算機に回線を介して接続したインタフェースとを備える動画編集システムにおいて、
前記電子計算機は、
記録された動画データを所定のデータ圧縮形式でデータを圧縮し、
前記回線を介して、前記圧縮データを前記インタフェースに送信し、
前記回線は、所定の長さ以下であることを特徴とする動画編集システム。
【請求項２】
請求項１に記載の動画編集システムにおいて、
前記データ圧縮形式は、コーデックプロであることを特徴とする動画編集システム。
【請求項３】
請求項１又は請求項２に記載の動画編集システムにおいて、
前記回線の所定の長さは、１メートル以下であることを特徴とする動画編集システム。
【請求項４】
請求項１から請求項３のいずれか１項に記載の動画編集システムにおいて、
前記インタフェースは、Ｍａｔｒｏｘ（登録商標）ＭＸ０２であることを特徴とする動画編集システム。
【発明の詳細な説明】
【技術分野】
【０００１】
本発明は、動画編集システムに関する。
【背景技術】
【０００２】
テレビ番組やシネマ作品といった動画編集システムでは、一般に、コンピュータやハードディスク等で構成されるノンリニア編集システムを用いて、動画データの編集を行っている（特許文献１）。さらに、ノンリニア編集後のデータを、リニア編集システムを用いて編集を行っている。
【先行技術文献】
【特許文献】
【０００３】
【特許文献１】特開２００５−３３３２４５号
【発明の概要】
【発明が解決しようとする課題】
【０００４】
しかしながら、近年、ハイビジョン放送が開始されるなど、動画データのデータ量が増大している。このため、従来のシステムでは、動画データを持ち運ぶために大量で重いハードディスクが必要となり、これらを持ち運ぶのが困難であり作業効率が悪かった。
【０００５】
また、従来のシステムでは、編集リストデータ（ＥＬＤ）が使えないため、編集作業に時間がかかる。さらに、時間がかかるため、スタジオ代や人件費などコストがかかる。さらに、近年、テレビ番組の予算減少など低コストで編集可能な動画編集の提供が求められてきている。
【０００６】
本発明の目的は、作業効率を向上し、コストを低減する動画編集システムを提供することである。
【課題を解決するための手段】
【０００７】
本発明にかかる請求項１の発明は、携帯可能な電子計算機と、前記電子計算機に回線を介して接続したインタフェースとを備える動画編集システムにおいて、前記電子計算機は、記録された動画データを所定のデータ圧縮形式でデータを圧縮し、前記回線を介して、前記圧縮データを前記インタフェースに送信し、前記回線は、所定の長さ以下であることを特徴とする動画編集システムである。
【０００８】
本発明にかかる請求項２の発明は、請求項１に記載の動画編集システムにおいて、前記データ圧縮形式は、コーデックプロであることを特徴とする動画編集システムである。
【０００９】
本発明にかかる請求項３の発明は、請求項１又は請求項２に記載の動画編集システムにおいて、前記回線の所定の長さは、１メートル以下であることを特徴とする動画編集システムである。
【００１０】
本発明にかかる請求項４の発明は、請求項１から請求項３のいずれか１項に記載の動画編集システムにおいて、前記インタフェースは、Ｍａｔｒｏｘ（登録商標）ＭＸ０２であることを特徴とする動画編集システムである。
【発明の効果】
【００１１】
本発明によれば、編集にかかる時間を短縮し、人件費もスタジオ代も大幅に低減できる動画編集システムを提供することができる。
【図面の簡単な説明】
【００１２】
【図１】本発明にかかるシステムのブロック図である。
【図２】本発明にかかるシステムの処理を示すフローチャートである。
【発明を実施するための形態】
【００１３】
以下に図面を用いて、本発明の実施形態の一例を説明する。
【００１４】
図１に示すように、本発明にかかる動画編集システム１は、ノートパソコン１０と、ノートパソコン１０に接続したＰＣＩカード２０と、ＰＣＩカード２０に接続されたコード４０と、コード４０と接続されたインタフェース３０と、ノートパソコン１０に接続されたコード５０と、外部記憶装置６０とから構成されている。
【００１５】
ノートパソコン１０は、各種処理を実行するＣＰＵ１１０と、一時的に情報を格納するメモリ１２０と、ファイナルカットプロ（登録商標）など各種プログラムや画像データを記憶するハードディスク１３０とを備える。なお、ノートパソコン１０は、携帯可能な電子計算機の一例である。また、動画編集システム１は、電子計算機に回線を介して接続したインタフェースを備える動画編集システムの一例である。
【００１６】
また、ノートパソコン１０は、好ましくはＭａｃＢｏｏｋＰｒｏ（登録商標）であるが、これに限定されず、ファイナルカットプロ（登録商標）などの画像編集ソフトが使える他のノートパソコンであってもよい。
【００１７】
また、ノートパソコン１０に接続されたＰＣＩカード２０から、インタフェース３０までのコード４０の長さは、好ましくは、１メートル以下である。
【００１８】
また、インタフェース３０は、リニア編集システム（図示せず）に接続されている。また、インタフェース３０は、好ましくは、Ｍａｔｒｏｘ（登録商標）  ＭＸ０２である。
【００１９】
また、外部記憶装置６０は、内部にデジタルビデオカメラなどで撮影された画像データが記憶されている。
【００２０】
図２を用いて、編集処理を説明する。
【００２１】
ステップＳ１０は、キャプチャ処理である。この処理において、ＣＰＵ１１０は、外部記憶装置６０に記憶されるＨＤ素材（ＨＤＣＡＭ・ＨＤＶ他等）をキャプチャし、コーデックプロ（登録商標）でデータを圧縮して、ハードディスク１３０に記憶する。なお、本実施形態において、ハードディスク１３０は、ノートパソコン１０内に設けられているが、ハードディスク１３０は、外部の取り外し可能なハードディスクであってもよい。この処理が終了した場合には、ステップＳ２０に処理を移す。なお、このように、ノートパソコン１０は、記録された動画データを所定のデータ圧縮形式（コーデックプロ）でデータを圧縮する電子計算機の一例である。
【００２２】
ステップＳ２０は、ノンリニア編集処理である。この処理において、ＣＰＵ１１０は、ハードディスク１３０に記憶されるファイナルカットプロ（登録商標）を起動し、ハードディスク１３０に記憶されているキャプチャされた画像データを編集可能にする。さらに、ＣＰＵ１１０は、編集後の画像データをハードディスク１３０に記憶する。この処理が終了した場合には、ステップＳ３０に処理を移す。
【００２３】
ステップＳ３０は、リニア編集処理である。この処理において、ＣＰＵ１１０は、コード４０を介して、インタフェース３０に画像データを送信する。編集者は、ノートパソコン１０からインタフェース３０を介して送信された画像データをリニア編集システムにおいて、リニア編集を行う。この処理が終了した場合には、本処理を終了する。なお、このように、ノートパソコン１０は、回線を介して、圧縮データを前記インタフェースに送信する電子計算機の一例である。
【００２４】
［従来との比較］
従来ＳＤ（Ｓｔａｎｄａｒｄ  Ｄｅｆｉｎｉｔｉｏｎ）編集においては、素材をＤＶテープにダビングして、ノンリニア編集機に取り込み、ノンリニア編集機で編集した映像音声をＤＶテープにはきだし、リニア編集室で編集できた。
【００２５】
しかし、ＨＤ編集（Ｈｉｇｈ  Ｄｅｆｉｎｉｔｉｏｎ）になってからは、オフライン用に素材を低画質でキャプチャし、ノンリニア編集後に、リニア編集室で元素材のテープからＥＤＬデータをもとに再編集する必要があるなど、二度手間の作業になってしまう。
【００２６】
このため、経費削減どころか、リニア編集室での作業時間が長くなってしまい、逆に経費が上昇してしまう。さらに、直接にＨＤ素材をノンリニア編集しようとすると、デスクトップ型の高価なシステムなど高額な設備投資や、画像素材を限定してノートパソコンに取り込むなどたいへんな手間が必要であった。
【００２７】
これに対して、本発明にかかる動画編集システム１は、現在最も普及しているファイナルカットプロ（登録商標）を使い、ＭａｃＢｏｏｋＰｒｏ（登録商標）でＨＤオンライン編集が実現できる。さらに、画像素材テープの種類を限定しない。このため、ＭａｃＢｏｏｋＰｒｏ（登録商標）とファイナルカットプロ（登録商標）があれば、追加の設備投資がほとんど不要になり、経費を削減できる。
【００２８】
さらに、本発明にかかる動画編集システム１は、ファイナルカットプロ（登録商標）にてＨＤ素材をＭａｃ  Ｂｏｏｋ
Ｐｒｏ（登録商標）で、ほぼオリジナル画質のまま編集できる。さらに、リニア編集システムとノートパソコン１０を回線４０とインタフェース３０を介して接続するだけで、リニア編集システムのＨＤＶＴＲやスイッチャーにリアルタイムで出力でき、時間のかかっていたレンダリング作業の作業時間を削減します。さらに、本発明にかかるシステムは、ＨＤ画質を保持したまま、はき出しが行え、ファイナルカットプロのタイムラインをモニターしながら編集結果を確認でき、ファイル変換なども一切不要となる。さらに、本発明にかかるシステムは、その場で追加素材を即座にキャプチャして再編集も可能となる。このため、編集にかかる時間を短縮し、人件費もスタジオ代も大幅に低減できる動画編集システムを提供することができる。
【図１】
2011034634.tif 000003
【図２】
2011034634.tif 000004